(57)【要約】【課題】最近社会情勢の悪化で道路を歩行中の女性の肩に掛けたショルダーバッグを自動車などで後方から奪い去る事件が多発している。本発明はこの防犯対策として、肩掛けベルトに接合部を持ち、外部から過大な力で分離でき、また、バッグや肩掛けベルトのデザインを損ねず、種々の幅のベルトに対応でき、防犯上の見地から盗難などに対して安全なバッグを提供することにある。【解決手段】バッグの人に接する側にバッグの開閉部を持ち、肩掛けベルト中に強い外力で分離する面ファスナーから成る接合部を持ち、肩掛けベルトに盗難検知ベルを設け、バッグの人に接する側の両端に腰に固定する取り付け部を設け、肩掛けベルト端部内側とバッグ本体との間にポケットを作る。【選択図】図１
0003130250.tif 000002
【実用新案登録請求の範囲】
【請求項１】
ハンドバッグ、ショルダーバッグ、カメラバッグなど、肩掛けベルトを持ったバッグにおいて、バッグの人体に接触する側にバッグの開閉部を持ち、肩掛けベルト中に接合部を持ち、この接合部は外部から強い力で引っ張られた場合に分離可能としたことを特徴とする肩掛け安全バッグ。
【請求項２】
請求項１の肩掛け安全バッグにおいて、肩掛けベルトの接合部をフック状面とパイル状面との一組で構成され着脱自在の布製の面ファスナーとしたことを特徴とする肩掛け安全バッグ。
【請求項３】
請求項１または２の肩掛け安全バッグにおいて、バッグを腰に固定するためにバッグ両端にベルトの取り付け部を設けたことを特徴とする肩掛け安全バッグ。
【請求項４】
請求項１から３の何れかの肩掛け安全バッグにおいて、肩掛けベルトに盗難検知ベルを設け、肩掛けベルトの接合部が離れた場合には盗難検知ベルが動作するようにしたことを特徴とする肩掛け安全バッグ。
【請求項５】
請求項１から４の何れかの肩掛け安全バッグにおいて、肩掛けベルト端部の内側とバッグ本体との間にポケットを作ることを特徴とする肩掛け安全バッグ。
【請求項６】
請求項２の肩掛け安全バッグにおいて、肩掛けベルト接合部の面ファスナーの構造を、折り返し部のあるＴ型と折り返し部のないＩ型とを使用して、Ｔ型の折り返し部分は互いに接合することを特徴とする肩掛け安全バッグ。
【請求項７】
請求項２または６の肩掛け安全バックにおいて、肩掛けベルト接合部を複数箇所設ける構成にしたことを特徴する肩掛け安全バック。
【考案の詳細な説明】
【技術分野】
【０００１】  この考案は、肩掛けベルトを持ったバッグに関し、詳しくは防犯上の見地から盗難などに対して安全な肩掛けバッグに関する。
【背景技術】
【０００２】  従来、肩掛けバッグは、バック本体と肩掛けベルトが丈夫に出来ており、バック本体とベルトの離れないものが安全とされていた。また、バックを開ける時は、外側を開く構造のものが一般的であり、このために人前でバック開ける時には、他人にバックの中身を見られないように、わざわざ外側を自分の方（内側）に持ち替えてから開くことが多かった。【０００３】  ところが、最近、社会情勢が悪化しており、例えば道路を歩いている女性の肩に掛けてショルダーバッグを、自転車、バイク、自動車などで後方から近付き肩掛けベルトを持ってショルダーバッグを奪い去るいわゆるひったくり事件が多発している。【０００４】  この対策品として、肩掛けベルトに接合部を持つ構造の考案が提案されている。この従来の肩掛け安全バッグの例を図８に示す。【０００５】  この考案の肩掛けバッグは、バッグ本体と肩掛けベルトとに接合部を設け、この接合部をマグネットとマグネットで吸着できる金属板で形成したものであり、ベルトに外部から過大な力がかかった時には、分離できるようにしたものである。
【特許文献１】  登録実用新案公報第３０４１８５６号
【考案の開示】
【考案が解決しようとする課題】
【０００６】  上記のマグネットとマグネットで吸着できる金属板とで成る接合部を持った肩掛け安全バッグは有用なものと考えられるが、バッグや肩掛けベルトのデザインを考慮しながら、種々の幅の広さがあるベルトに対応して、接合部の分離力を適切な値に保つためのマグネットと金属板の設計は、自由度が少なく難しい点があるものと考えられる。【０００７】  この考案の目的は上記の問題点を解決し、バッグ本体と肩掛けベルトとの接合部の設計が容易で、防犯上の見地から盗難などに対して安全なバッグを提供することにある。
【課題を解決するための手段】
【０００８】  上記の課題を解決するために、この考案では、ハンドバッグ、ショルダーバッグ、カメラバッグなど、肩掛けベルトを持ったバッグにおいて、バッグの人体に接触する側にバッグの開閉部を持ち、肩掛けベルト中に接合部を持ち、この接合部は外部から強い力で引っ張られた場合に分離可能とすることとする（請求項１）。【０００９】  また、上記の肩掛け安全バッグにおいて、肩掛けベルトの接合部をフック状面とパイル状面との一組で構成され着脱自在の布製の面ファスナー（商標名：マジックテープ）とすることとする（請求項２）。【００１０】  さらに、上記の肩掛け安全バッグにおいて、バッグを腰に固定するためにバッグ両端にベルトの取り付け部を設けることとする（請求項３）。【００１１】  また、上記の肩掛け安全バッグにおいて、肩掛けベルトに盗難検知ベルを設け、肩掛けベルトの接合部が離れた場合には盗難検知ベルが動作するようにすることとする（請求項４）。【００１２】さらに、上記の肩掛け安全バッグにおいて、肩掛けベルト端部内側とバッグ本体との間にポケットを作ることとする（請求項５）。【００１３】  上記の肩掛け安全バッグにおいて、肩掛けベルト接合部の面ファスナーの構造を、折り返し部のあるＴ型と折り返し部のないＩ型とを使用して、Ｔ型の折り返し部分は互いに接合することとする（請求項６）。また、この肩掛けベルト接合部を複数箇所設けることとする（請求項７）。
【考案の効果】
【００１４】  この考案では請求項１のように、カバンを内側から開閉するため、人のいる前でハンドバッグ、ショルダーバッグ、カメラバッグなどのバックを開いても他人にカバンの中身を見られずにすむという効果がある。【００１５】  請求項２のように、ベルト接合部を面ファスナーにしたことにより、ひったくりなどにあったときバック本体と肩掛けベルトが離れるという効果がある。面ファスナーは、バッグ本体側に面ファスナーのフック状面とパイル状面とを取り付け、肩掛けベルト側にも面ファスナーのフック状面とパイル状面とを取り付けて接着しており、面ファスナーの断面積を適当に選べば重さ数キログラムのものを入れていても外れることがない。【００１６】  また、請求項３のように、内側両端にベルト取り付けることにより、本体側をとられた時は腰のベルトに止めてあれば盗難は防止でき、転倒防止にも役立つ。
このベルト取り付け部は、ふだんは肩掛けベルトの内側に挟んで入れておくが他に荷物など持って両手が使えない時にこれをズボンのベルトの取り付けることが出来るなどの効果がある。【００１７】  請求項４のように、盗難検知ベルを設けると、腰ベルトをつけず盗難にあったときなど、ベルが鳴り、盗んだ犯人が慌てると同時に、付近の人達に知らせる効果がある。【００１８】  請求項５にある両サイドの肩掛けベルト内側ポケットは、例えば小物入れのポケットとして、片側にはボールペンなどの長いものを、その反対側には小銭や小物を入れて、便利に使うことが可能である。【００１９】  請求項６にある面ファスナーのＴ型とＩ型接合部は、具体例で示すように重いバッグや女性が使う細いベルト用などにより、面ファスナーの接着面積を変えた種々の構造が適用可能である。また、請求項７にある肩掛けベルト接合部を複数箇所設けることにより、デザインと接合部の分離力を適切な値に保つための自由度を大きくすることができる。
【考案を実施するための最良の形態】
【００２０】  図１に肩掛け安全バッグの外観を示す。このバッグは人体に接触する内側に開閉部４を持つ他に、通常のバッグのように外側にも開閉部５を、また肩掛けベルト端部には内側ポケット９を持っている。この肩掛け安全バッグに、肩掛けベルトに設けた接合部３、バッグを人体の腰に固定するためのバッグ内側両端に取り付け部６（図５参照）、盗難検知部に盗難検知ベル８（図６参照）、などを設けたものについては、以下の６つの実施例で説明する。
【実施例１】
【００２０】  図２には、本考案の面ファスナーで構成した肩掛け安全バッグの接合部例１を示す。この図は重量用の肩掛け安全バッグの例である。これは図示のようにリング状の金具にバッグ本体側Ｔ型接合部１１として面ファスナーを折り曲げて取り付けているために、肩掛けベルトを引っ張って分離するには大きな力が必要である。またバッグの重さによって面ファスナーの面積を増減して分離力を加減することができる。分離力の測定例では、断面積１２ｍｍ×３５ｍｍの３本合わせた面ファスナーを使った場合には、引張力で接合部が分離する力は、約５０ｋｇであった。
【実施例２】
【００２１】  図３の接合部例２は、男性用肩掛け安全バッグの例である。これは図示のようにバッグ本体側Ｉ型接合部１２の面ファスナーとベルト側Ｔ型接合部１３の面ファスナーとを平面接着で取り付けているために、肩掛けベルトを引っ張って分離するにはあまり大きな力を必要としない。分離力の測定例では、断面積１２ｍｍ×３５ｍｍの３本合わせた面ファスナーを使った場合には、引張力で接合部が分離する力は、約３．５ｋｇであった。
【実施例３】
【００２２】  図４の接合部例３は、女性用肩掛け安全バッグの例である。これは図示のようにベルト中間部分のバッグ本体側Ｔ型接合部１４の面ファスナーとベルト側Ｉ型接合部１５の面ファスナーとを平面接着で取り付けているために、肩掛けベルトを引っ張って分離するには大きな力を必要としない。分離力の測定例では、断面積１２ｍｍ×３５ｍｍの面ファスナーを使った場合には、引張力で接合部が分離する力は、約１．２ｋｇであった。
【実施例４】
【００２３】  図５には、本考案の肩掛け安全バッグのズボンベルト取り付け部例を示す。これは肩掛け安全バッグ内側の両端に面ファスナーを使ったズボンベルト取り付け部６を設け、ズボンのベルト７を使って肩掛け安全バッグ１を腰に固定するものである。
【実施例５】
【００２４】  図６には、本考案の肩掛け安全バッグの盗難検知ベル取り付け例を示す。これは盗難検知ベル８を肩掛けベルト２に固定し、ひったくりなどで肩掛けベルト２の接合部３が離れた場合には、盗難検知ベル８が動作するようにしたものである。この盗難検知ベル８の取り付けは、この例に限らず種々の取り付け方法や取り付け場所が考えられる。
【実施例６】
【００２５】  図７には、本考案の肩掛け安全バッグの接合部複数取り付け例を示す。接合部複数取り付けは、この例に限らず種々の取り付け方法が考えられる。
【産業上の利用可能性】
【００２６】  本考案の肩掛け安全バッグは、カバンの内側開閉で他人にカバンの中身を見られずにすみ、面ファスナーベルト接合部でひったくりを防止でき、内側両端にベルト取り付けで盗難・転倒防止に役立ち、盗難検知ベルで盗難発生を付近の人達に知らせることができ、両サイドの肩掛けベルト内側のポケットは小物入れのポケットとして使え、面ファスナーの接着面積を変えて種々の構造に適用でき、ベルト接合部を複数箇所設けてデザインの自由度を大きくできるなどの有利な点があるために、肩掛けベルトのあるカバン、ショルダーバック、カメラバック、ハンドバックなどに広く応用できる。
【図面の簡単な説明】
【００２７】
【図１】本考案の肩掛け安全バッグの外観を示す図  （ａ）人体に接触する側（内側）からの外観  （ｂ）外側からの外観
【図２】本考案の肩掛け安全バッグの接合部例１を示す図  （ａ）バッグ本体側のＴ型接合部  （ｂ）接合部の断面  （ｃ）接合時の外観
【図３】本考案の肩掛け安全バッグの接合部例２を示す図  （ａ）ベルト側のＴ型接合部（内面）  （ｂ）ベルト側のＴ型接合部（外面）  （ｃ）バッグ本体側のＩ型接合部  （ｄ）接合部の断面  （ｅ）接合時の外観
【図４】本考案の肩掛け安全バッグの接合部例３を示す図  （ａ）接合部の断面  （ｂ）バッグ本体側のＴ型接合部（外面）  （ｃ）バッグ本体側のＴ型接合部（内面）  （ｄ）ベルト側のＩ型接合部
【図５】本考案の肩掛け安全バッグのズボンベルト取り付け部例を示す図  （ａ）ズボンベルト取り付け部外観  （ｂ）ズボンベルト取り付け時の外観  （ｃ）ズボンベルト取り付け部の断面
【図６】本考案の肩掛け安全バッグの盗難検知ベル取り付け例を示す図  （ａ）盗難検知ベルとバッグ本体  （ｂ）盗難検知ベル取り付け断面  （ｃ）盗難検知ベル取り付け外観
【図７】本考案の肩掛け安全バッグのベルト接合部複数取り付け例を示す図  （ａ）Ｔ型接合部（内面）  （ｂ）Ｔ型接合部（外面）  （ｃ）複数取り付け時のＴ型接合部（内面）  （ｄ）複数取り付け時のＴ型接合部（外面）  （ｅ）複数取り付け時の接合部断面  （ｆ）複数取り付け時のＴ型接合部断面
【図８】従来の肩掛け安全バッグの例を示す図
【符号の説明】
【００２５】１：バッグ
２：肩掛けベルト
３：接合部
４：バッグ内側開閉部
５：バッグ外側開閉部
６：バッグ内側両端ベルト取り付け部
７：ズボンのベルト
８：盗難検知ベル
９：ベルト端部内側ポケット
１０：接合部複数取り付け
１１：接合部例１のバッグ本体側Ｔ型接合部
１２：接合部例２のバッグ本体側Ｉ型接合部
１３：接合部例２のベルト側Ｔ型接合部
１４：接合部例３のバッグ本体側Ｔ型接合部
１５：接合部例３のベルト側Ｉ型接合部
１０１：マグネット
１０２：金属板
【図１】
0003130250.tif 000003
【図２】
0003130250.tif 000004
【図３】
0003130250.tif 000005
【図４】
0003130250.tif 000006
【図５】
0003130250.tif 000007
【図６】
0003130250.tif 000008
【図７】
0003130250.tif 000009
【図８】
0003130250.tif 000010